(57)【要約】【課題】短時間においしく蒸し料理ができ、高周波加熱との同時調理でも優れた調理性能を発揮する加熱調理器の提供。【解決手段】加熱室１内に蒸気を噴射する蒸気発生ノズル５と、加熱室内に設置され蒸し調理を行う蒸し器６と、前記蒸し器の一部に形成され蒸気を取り入れる蒸気取入れ口６dを備え、前記蒸気発生ノズル５から前記加熱室内に供給される蒸気は前記蒸し器６の蒸気取入れ口６dに向かって噴射する構成としてあり、蒸気は加熱室よりも容量が少ない蒸し器内に充満することになるので、蒸し調理が短時間においしく出来上がり、高周波加熱との同時調理でも優れた調理性能を維持し、残水も加熱室全体に蒸気を充満させる場合に比較して少ないものとなる。【選択図】図１
2007271104.tif 000002
【特許請求の範囲】
【請求項１】
食品を加熱調理する加熱室と、前記加熱室内に位置する食品載置台と、蒸気を発生する蒸気発生装置と、前記蒸気発生装置が発生する蒸気を前記加熱室内に導く密閉された蒸気経路と、前記蒸気経路からの蒸気を前記加熱室内に噴射する蒸気発生ノズルと、前記加熱室内に設置され蒸し調理を行う蒸し器と、前記蒸し器の一部に形成され蒸気を取り入れる蒸気取入れ口を備え、前記蒸気発生ノズルから前記加熱室内に供給される蒸気は前記蒸し器の蒸気取入れ口に向かって噴射する構成とした加熱調理器。
【請求項２】
蒸し器は蒸気取入れ口を前記蒸気発生ノズルに対向させる位置に設置され前記蒸気発生ノズルから噴射される蒸気を前記蒸気取入れ口から取り入れることにより蒸気で充満する構成とした請求項１記載の加熱調理器。
【請求項３】
蒸し器を設置する食品載置台に位置決め手段を設けた請求項２記載の加熱調理器。
【請求項４】
蒸し器は高周波による発熱の少ない樹脂で構成され、蒸し調理と高周波加熱調理が同時に行える請求項１記載の加熱調理器。
【発明の詳細な説明】
【技術分野】
【０００１】
本発明は蒸気加熱と高周波加熱ができるいわゆる蒸気発生機能及び高周波加熱機能付き加熱調理器に関するものである。
【背景技術】
【０００２】
従来、この種の加熱調理器としては、例えば、特許文献１に記載されているようなものがあった。図２は、特許文献１に記載された従来の蒸気発生機能及び高周波加熱機能付き加熱調理器の断面図であり、構成を示すものである。前記特許文献１によると、食材等の被加熱物を収納する加熱室１２内に高周波を供給する高周波発生手段（マグネトロン）１３と、加熱室1２内に蒸気を供給する蒸気供給機構１４とを備え、高周波と蒸気との少なくともいずれかを加熱室１２に供給して加熱室１２内の被加熱物を加熱処理する。
【０００３】
蒸気供給機構１４は加熱室1２内に装備される給水受け皿（蒸発部）１５と給水受け皿（蒸発部）１５上の水１６を蒸発させる加熱手段１７と、給水受け皿（蒸発部）１５に水を供給する給水タンク（図示せず）から構成される。加熱室１２の前部には被加熱物を出し入れする扉１８が設置される。また加熱室１２の背後の空間は、加熱室1２内の雰囲気を攪拌する循環ファン１９及びその駆動モータ２０を収容した循環ファン室２１となっており、加熱室1２の背面の壁が、加熱室1２と循環ファン室２１との仕切り壁２２となる。仕切り壁２２には風の通り道となるパンチング穴２３が多数設けられている。
【０００４】
給水受け皿（蒸発部）１５上の水１６は加熱手段１７により加熱され、沸騰蒸気となって加熱室1２内を上昇し、加熱室1２内を蒸気で満たす。循環ファン１９により蒸気は攪拌され加熱室1２の底に載置される被加熱物はムラなく加熱されることになる。
【特許文献１】特開２００５−３７０１２号公報
【発明の開示】
【発明が解決しようとする課題】
【０００５】
しかしながら、上記従来の構成では、被加熱物を蒸気で加熱するためには蒸気を加熱室全体に充満させなければならず、調理に時間がかかることになる。また、加熱室内は大きく、また、扉の隙間等から蒸気が装置外に漏れ出すことがあり、被加熱物を十分加熱させるだけの蒸気密度が得られず調理性能が劣っていた。特に高周波加熱調理と同時に蒸し調理を行う場合には電力を高周波加熱に取られるため、十分蒸気を被加熱物に供給できず調理性能の悪いものになっていた。さらに蒸気を攪拌するための循環ファンやその駆動モータが必要でありコストがかっていた。また、蒸気を加熱室内に充満させるため調理後に残水が食品載置台上に多く残り、拭き取り等の手間がかっていた。
【０００６】
本発明は前記従来の課題を解決するもので、蒸し調理のセッティングが容易に行えるとともに、蒸し調理が短時間においしく出来上がり、高周波加熱との同時調理でも優れた調理性能を維持し、残水の処理も手間がかからない優れた加熱調理器の提供を目的としたものである。
【課題を解決するための手段】
【０００７】
前記従来の課題を解決するために、本発明の加熱調理器は、食品を加熱調理する加熱室と、前記加熱室内に位置する食品載置台と、蒸気を発生する蒸気発生装置と、前記蒸気発生装置が発生する蒸気を前記加熱室内に導く密閉された蒸気経路と、前記蒸気経路からの蒸気を前記加熱室内に噴射する蒸気発生ノズルと、前記加熱室内に設置され蒸し調理を行う蒸し器と、前記蒸し器の一部に形成され蒸気を取り入れる蒸気取入れ口を備え、前記蒸
気発生ノズルから前記加熱室内に供給される蒸気は前記蒸し器の蒸気取入れ口に向かって噴射する構成としてあり、蒸し器をその蒸気取入れ口が蒸気発生ノズルに対向する如く加熱室内に設けるだけで蒸し器内に蒸気発生ノズルからの蒸気が充満することになり、蒸し器は加熱室よりも容量が少ないので、蒸し調理が短時間においしく出来上がり、高周波加熱との同時調理でも優れた調理性能を維持し、残水も加熱室全体に蒸気を充満させる場合に比較して少ないものとなる。
【発明の効果】
【０００８】
本発明は、蒸し調理のアタッチメントが手間無くセッティングでき、かつ、蒸し調理も短時間においしく出来上がり、蒸し加熱と高周波加熱との同時調理でも優れた調理性能を維持し、調理後の残水の処理も手間がかからない安価な優れた加熱調理器を実現できる。
【発明を実施するための最良の形態】
【０００９】
第１の発明は、食品を加熱調理する加熱室と、前記加熱室内に位置する食品載置台と、蒸気を発生する蒸気発生装置と、前記蒸気発生装置が発生する蒸気を前記加熱室内に導く密閉された蒸気経路と、前記蒸気経路からの蒸気を前記加熱室内に噴射する蒸気発生ノズルと、前記加熱室内に設置され蒸し調理を行う蒸し器と、前記蒸し器の一部に形成され蒸気を取り入れる蒸気取入れ口を備え、前記蒸気発生ノズルから前記加熱室内に供給される蒸気は前記蒸し器の蒸気取入れ口に向かって噴射する構成としたものであり、、蒸気発生装置により作られた蒸気はゴムパイプ等で蒸気発生ノズルと蒸し器の蒸気取入れ口とを結ぶ煩雑なセッティングの必要も無く簡単に効率よく蒸し器内に取り入れられる。
【００１０】
また、前記蒸し器は前記蒸気取入れ口を前記蒸気発生ノズルに対向する如く設置することにより前記蒸気発生ノズルから噴射される蒸気を前記蒸気取入れ口から取り入れて蒸気で充満することになる。この構成により、蒸気は蒸し器の外にほとんど漏れないので短時間で蒸し器内に高密度で充満し、蒸し調理を効率よく短時間でおいしく仕上げることが出来る。また、蒸し器内の蒸気は食品を加熱した後、蒸し器の壁面で結露しその水滴は蒸し器の底面の一箇所に溜まるので残水の処理も手軽に簡単である。また、蒸し器外に漏れ出る蒸気も少量なので加熱室壁面や食品載置台の残水の処理はほとんど不要である。
【００１１】
第２の発明は、蒸し器は蒸気取入れ口を前記蒸気発生ノズルに対向させる位置に設置され前記蒸気発生ノズルから噴射される蒸気を前記蒸気取入れ口から取り入れることにより蒸気で充満する構成としてあり、第１の発明と同様の効果が得られる。
【００１２】
第３の発明は、蒸し器を設置する食品載置台に位置決め手段を設けた構成としてあり、蒸し器をこの位置決め手段に合わせて設けるだけで蒸し器の蒸気取入れ口を蒸気発生ノズルに対向させることができ、蒸し器のセッティングがさらに容易になる。
【００１３】
第４の発明は、蒸し器は高周波による発熱の少ない樹脂で構成され、蒸し調理と高周波加熱調理が同時に行える構成としてあり、蒸し加熱と高周波加熱との同時調理においても短時間でおいしい出来あがりとなる。
【００１４】
以下、本発明の実施の形態について、図面を参照しながら説明する。なお、以下の実施の形態によって本発明が限定されるものではない。
【００１５】
（実施の形態１）
以下、本発明に係る加熱調理器の好適な実施の形態について、図面を参照して詳述する。
【００１６】
図１はアタッチメントである蒸し器を加熱室に載置した本発明の加熱調理器を側面から
みた断面図である。
【００１７】
図１において、１は食品を加熱調理する加熱室であり、加熱室１の底面に位置するのは食品載置台２で高周波を透過するセラミックからなる。この食品載置台２には後述する蒸し器の載置位置を決める蒸し器と略同形の模様２a、例えば蒸し器が四角形状であれば四角模様(位置決め手段)が設けてある。３は蒸気を発生する蒸気発生装置で、水供給装置（図示せず）から得た水を貯めて蒸発させる蒸発皿３ａと蒸発皿３ａの底部に設置され水を加熱する加熱装置３ｂと蒸発皿３ａの蓋となるカバー３ｃとからなる。４は蒸気発生装置３が発生する蒸気を加熱室１内に導く密閉された蒸気経路である。蒸気経路４と加熱室１は蒸気発生ノズル５で結合され、蒸気発生ノズル５は蒸気を加熱室内に噴出する。またこの蒸気発生ノズル５のノズル部は加熱室１の壁面から突出している。
【００１８】
前記食品載置台２の上には蒸し器６が設置される。蒸し器６は本体６ａと蓋部６ｂと食品を載置する仕切り板６ｃと蒸気取入れ口６ｄからなる。蓋部６ｂと仕切り板６ｃは本体６ａから脱着可能である。また、仕切り板６ｃは蒸気が抜けるように多数穴があいている。蒸し器６は高周波を透過する樹脂から出来ており、本実施例ではＰＰＳ樹脂（ポリフェニレンサルファド樹脂）を使用している。また、この蒸し器６は食品載置台２に形成した模様２aにあわせて設置することにより、蒸し器６の蒸気取入れ口６ｄが蒸気発生ノズル５と直線状に対向するようになる。
【００１９】
７は加熱室１への食品の出し入れを行う扉である。８は高周波を発生する高周波発生装置で、加熱室１の下部に位置し高周波を発生する。高周波は導波管９を通って給電口１０から加熱室１に供給される、１１は回転アンテナで高周波を攪拌し食品の加熱ムラが起こらないようにする。
【００２０】
蒸し器６は食品載置台２の上に設置されるが、蒸気発生ノズル５のノズル部から噴出される蒸気を蒸気取り入れ口６ｄから取り入れる事が出来るように蒸気発生ノズル５と蒸気取入れ口６ｄが対向する位置に設置される。前述した如くこの蒸し器６は食品載置台２の模様２aにあわせて設置するだけで、蒸し器６の蒸気取入れ口６ｄを蒸気発生ノズル５に直線状に対向させることができ、これらの一あわせも容易に行える。
【００２１】
蒸気発生装置３の蒸発皿３ｂ・カバー３ｃ及び蒸気経路４・蒸気発生ノズル５はノズル口をのぞいて密閉構造となっている。蒸気圧によりこの密閉構造内の圧力はある程度高くなっているので蒸気発生ノズル５から噴射される蒸気は広がらずに直進性を持って蒸し器６の蒸気取入れ口６ｄに向かって噴射される。直進性を持った噴出蒸気はほとんど蒸気取り入れ口６ｄから蒸し器６内に取り入れられる。このように、ゴムパイプ等を使って蒸気発生ノズル５と蒸気取り入れ口６ｄを結合する必要が無いため蒸し器６のセッティングは非常に容易である。また、蒸し器６に入らずに加熱室１内に漏れ出る蒸気量は少ないので、調理後に食品載置台２の上や加熱室１壁面に付着する水滴はほとんどない状態であり調理後のお手入れも楽である。また、蒸し器６は密閉されているので効率よく高密度で蒸気は充満し、蒸し器６の仕切り板６ｃに載置された食品は蒸気によりすばやく加熱され、短時間でおいしい出来上がりの調理が可能である。調理中、蒸し器６壁面に結露した水滴は蒸し器６の本体６ａ底部に溜まるので、調理後蒸し器６の蓋６ｂを取って水を捨てるだけで残水の処理が終わり非常に手軽である。
【００２２】
また、蒸し器６は高周波を透過する樹脂（ＰＰＳ樹脂）で出来ており、高周波加熱との同時調理が可能である。高周波加熱との同時調理では、電力を分配しなければならないので蒸気発生量が落ちるが本実施例では蒸気加熱効率が良いので非常に短時間で良い出来上がりとなる。
【００２３】
さらに、本実施例ではムラを無くすために蒸気を攪拌する装置が不要であり安価な装置とすることが出来る。
【産業上の利用可能性】
【００２４】
以上のように本発明によれば、蒸気加熱と高周波加熱ができるいわゆる蒸気発生機能及び高周波加熱機能付き加熱調理器において、蒸し調理の効率化・時間短縮・おいしさの増大・お手入れの簡便化・コスト削減が可能であり、加熱調理器全般に応用が可能である。
【図面の簡単な説明】
【００２５】
【図１】本発明の実施の形態１における加熱調理器を側面から見た断面図
【図２】従来の加熱調理器を側面から見た断面図
【符号の説明】
【００２６】
１    加熱室
２    食品載置台
２a   位置決め手段(模様)
３    蒸気発生装置
４    蒸気経路
５    蒸気発生ノズル
６    蒸し器
６ｄ  蒸気取り入れ口
【図１】
2007271104.tif 000003
【図２】
2007271104.tif 000004